【手続補正書】
【提出日】令和3年10月13日(2021.10.13)
【手続補正１】
【補正対象書類名】明細書
【補正対象項目名】０００５
【補正方法】変更
【補正の内容】
【０００５】
上記課題を解決するために、本願はアップリンク制御チャネルリソース確定方法を開示し、
端末は伝送対象のアップリンク制御シグナリングのビット数N、目標符号化レート、変調次数、1つの物理リソースブロック内のアップリンク制御シグナリングが占有する物理リソースの数とプリセットのリソースの数に基づいて、実際に使用するリソースの数及び/又は実際に伝送するアップリンク制御シグナリングのビット数を確定することを含み、
前記実際に使用するリソースの数はプリセットのリソースの数以下であり、前記実際に伝送するアップリンク制御シグナリングのビット数は前記N以下である。
【手続補正２】
【補正対象書類名】明細書
【補正対象項目名】００１２
【補正方法】変更
【補正の内容】
【００１２】
一実施形態において、前記端末は前記目標符号化レート、前記変調次数、及び前記1つの物理リソースブロック内のアップリンク制御シグナリングが占有する物理リソースの数に基づいて、前記プリセットのリソースの数が前記Nビットのアップリンク制御シグナリングのベアリングに十分でないことを確定した場合、前記実際に使用するリソースの数が前記プリセットのリソースの数と等しいことを確定する。
【手続補正３】
【補正対象書類名】明細書
【補正対象項目名】００２３
【補正方法】変更
【補正の内容】
【００２３】
一実施形態において、前記ネットワーク側装置は前記目標符号化レート、前記変調次数、及び前記1つの物理リソースブロック内のアップリンク制御シグナリングが占有する物理リソースの数に基づいて、前記プリセットのリソースの数が前記Nビットのアップリンク制御シグナリングのベアリングに十分でないことを確定した場合、前記実際に使用するリソースの数が前記プリセットのリソースの数と等しいことを確定する。
【手続補正４】
【補正対象書類名】明細書
【補正対象項目名】００２４
【補正方法】変更
【補正の内容】
【００２４】
一実施形態において、前記ネットワーク側装置はアップリンク制御シグナリングのビット数N、目標符号化レート、変調次数、1つの物理リソースブロック内のアップリンク制御シグナリングが占有する物理リソースの数に基づいて、第1のリソースの数を確定し、前記第1のリソースの数が前記プリセットのリソースの数よりも大きい場合、前記プリセットのリソースの数が、受信対象のNビットのアップリンク制御シグナリングのベアリングに十分でないことを示す。
【手続補正５】
【補正対象書類名】明細書
【補正対象項目名】００３２
【補正方法】変更
【補正の内容】
【００３２】
一実施形態において、前記実際使用リソース数確定モジュールは、前記目標符号化レート、前記変調次数、及び前記1つの物理リソースブロック内のアップリンク制御シグナリングが占有する物理リソースの数に基づいて、前記プリセットのリソースの数が前記Nビットのアップリンク制御シグナリングのベアリングに十分でないことを確定した場合、前記実際に使用するリソースの数が前記プリセットのリソースの数と等しいことを確定することに用いられる。
【手続補正６】
【補正対象書類名】明細書
【補正対象項目名】００４０
【補正方法】変更
【補正の内容】
【００４０】
一実施形態において、前記実際使用リソース定量モジュールは、前記目標符号化レート、前記変調次数、及び前記1つの物理リソースブロック内のアップリンク制御シグナリングが占有する物理リソースの数に基づいて、前記プリセットのリソースの数が前記Nビットのアップリンク制御シグナリングのベアリングに十分でないことを確定した場合、前記実際に使用するリソースの数が前記プリセットのリソースの数と等しいことを確定することに用いられる。
【手続補正７】
【補正対象書類名】明細書
【補正対象項目名】００４１
【補正方法】変更
【補正の内容】
【００４１】
一実施形態において、前記ネットワーク側装置は、アップリンク制御シグナリングのビット数N、目標符号化レート、変調次数、1つの物理リソースブロック内のアップリンク制御シグナリングが占有する物理リソースの数に基づいて、第1のリソースの数を確定することに用いられる第1のリソース定量モジュールを更に備え、前記第1のリソースの数が前記プリセットのリソースの数よりも大きい場合、前記プリセットのリソースの数が、受信対象のNビットのアップリンク制御シグナリングのベアリングに十分でないことを示す。
【手続補正８】
【補正対象書類名】明細書
【補正対象項目名】００５０
【補正方法】変更
【補正の内容】
【００５０】
概念の一部の説明
5G：第5世代移動通信技術
NR：5G(第5世代移動通信技術)の無線アクセス部分、New Radioの略語
PUCCH：物理アップリンク制御チャネル、Physical Uplink Control Channelの略語
SR：アップリンクスケジューリング要求、Scheduling Requestの略語
OFDM：直交周波数分割多重、Orthogonal Frequency Division Multiplexingの略語
UCI：アップリンク制御情報の略語PRB：物理ブロックの略語
【手続補正９】
【補正対象書類名】明細書
【補正対象項目名】００５２
【補正方法】変更
【補正の内容】
【００５２】
端末は伝送対象のアップリンク制御シグナリングのビット数Nと目標符号化レートに基づいて、第1のリソースの数を確定し、第1のリソースの数がプリセットのリソースの数以下である場合、第1のリソースの数を実際に使用するリソースの数としてNビットのアップリンク制御シグナリングを伝送し、第1のリソースの数がプリセットのリソースの数よりも大きい場合、プリセットのリソースの数で伝送可能なアップリンク制御シグナリングのビット数の上限を確定し、該上限と目標符号化レートに基づいてシグナリング圧縮等の方式（本発明ではシグナリング圧縮の具体的な方式を限定しない）で伝送対象のアップリンク制御シグナリングのビット数Tを改めて確定し(この時にアップリンク制御シグナリングの具体的な内容も対応的に変化した)、このTで前のNを置き換えて上記方法で繰り返して、最終的に実際に使用するリソースの数を確定する。このような方式によれば、半静的に確定されたプリセットのリソースの数と実際に使用するリソースの数がマッチングしないことによるリソースの浪費の問題は回避される。
【手続補正１０】
【補正対象書類名】明細書
【補正対象項目名】００６６
【補正方法】変更
【補正の内容】
【００６６】
選択肢として、第1のリソースの数がプリセットのリソースの数よりも大きい場合、実際に使用するリソースの数はプリセットのリソースの数と等しい。この時、ステップ104で伝送されるのは、伝送対象のアップリンク制御シグナリング(即ちステップ101におけるNビットの伝送対象のアップリンク制御シグナリング)である。
【手続補正１１】
【補正対象書類名】明細書
【補正対象項目名】００９０
【補正方法】変更
【補正の内容】
【００９０】
選択肢として、第1のリソースの数がプリセットのリソースの数よりも大きい場合、実際に使用するリソースの数はプリセットのリソースの数と等しい。この場合、ステップ204で実際に受信されるのはNビットのアップリンク制御シグナリングである。
【手続補正１２】
【補正対象書類名】明細書
【補正対象項目名】００９２
【補正方法】変更
【補正の内容】
【００９２】
選択肢として、第1のリソースの数がプリセットのリソースの数よりも大きい場合、ネットワーク側装置は目標符号化レートとプリセットのリソースの数に基づいて、第1のアップリンク制御シグナリングのビット数を確定する。ネットワーク側装置は目標符号化レートと新たな受信対象のアップリンク制御シグナリングのビット数に基づいて第2のリソースの数を確定し、新たな受信対象のアップリンク制御シグナリングは、受信対象のアップリンク制御シグナリングに対してシグナリング圧縮を行って取得したものであり、新たな受信対象のアップリンク制御シグナリングのビット数は第1のアップリンク制御シグナリングのビット数以下である。実際に使用するリソースの数は第2のリソースの数と等しい。この場合、実際には、シグナリング圧縮後の新たな受信対象のアップリンク制御シグナリングのビット数(ステップ201におけるNの代わりに)に応じて、改めてステップ201に戻って繰り返す。
【手続補正１３】
【補正対象書類名】明細書
【補正対象項目名】０１０３
【補正方法】変更
【補正の内容】
【０１０３】
選択肢として、実際使用リソース数確定モジュールは第1のリソースの数がプリセットのリソースの数よりも大きいことを判定した場合、実際に使用するリソースの数はプリセットのリソースの数と等しい。この場合、伝送モジュールが伝送するのは、伝送対象のアップリンク制御シグナリングである。
【手続補正１４】
【補正対象書類名】明細書
【補正対象項目名】０１１６
【補正方法】変更
【補正の内容】
【０１１６】
選択肢として、実際使用リソース定量モジュールは第1のリソースの数がプリセットのリソースの数よりも大きいことを判定した場合、実際に使用するリソースの数はプリセットのリソースの数と等しい。この場合、受信モジュールが実際に受信するのは、受信対象のアップリンク制御シグナリング(Nビット)である。
【手続補正１５】
【補正対象書類名】明細書
【補正対象項目名】０１１８
【補正方法】変更
【補正の内容】
【０１１８】
選択肢として、実際使用リソース定量モジュールは第1のリソースの数がプリセットのリソースの数よりも大きいことを判定した場合、目標符号化レートとプリセットのリソースの数に基づいて、第1のアップリンク制御シグナリングのビット数を確定する。目標符号化レートと新たな受信対象のアップリンク制御シグナリングのビット数に基づいて第2のリソースの数を確定し、新たな受信対象のアップリンク制御シグナリングは、受信対象のアップリンク制御シグナリングに対してシグナリング圧縮を行って取得したものであり、新たな受信対象のアップリンク制御シグナリングのビット数は第1のアップリンク制御シグナリングのビット数以下である。実際に使用するリソースの数は第2のリソースの数と等しい。この場合、受信モジュールが実際に受信するのは、シグナリング圧縮が施されたアップリンク制御シグナリングである。
【手続補正１６】
【補正対象書類名】特許請求の範囲
【補正対象項目名】全文
【補正方法】変更
【補正の内容】
【特許請求の範囲】
【請求項１】
端末は伝送対象のアップリンク制御シグナリングのビット数N、目標符号化レート、変調次数、1つの物理リソースブロック内のアップリンク制御シグナリングが占有する物理リソースの数とプリセットのリソースの数に基づいて、実際に使用するリソースの数及び/又は実際に伝送するアップリンク制御シグナリングのビット数を確定することを含み、
前記実際に使用するリソースの数はプリセットのリソースの数以下であり、前記実際に伝送するアップリンク制御シグナリングのビット数は前記N以下である、アップリンク制御チャネルリソース確定方法。
【請求項２】
前記端末が前記N、前記目標符号化レート、前記変調次数、及び前記1つの物理リソースブロック内のアップリンク制御シグナリングの占有する物理リソースの数に基づいて確定した第1のリソースの数は前記プリセットのリソースの数以下である場合、前記実際に使用するリソースの数は前記第1のリソースの数と等しい、請求項1に記載のアップリンク制御チャネルリソース確定方法。
【請求項３】
前記端末は、前記実際に使用するリソースが前記プリセットのリソースの最初のQ個のリソースであることを確定し、前記Qは前記第1のリソースの数である、請求項2に記載のアップリンク制御チャネルリソース確定方法。
【請求項４】
前記実際に伝送するアップリンク制御シグナリングのビット数は前記Nと等しい、請求項2又は3に記載のアップリンク制御チャネルリソース確定方法。
【請求項５】
前記端末は前記目標符号化レート、前記変調次数、及び前記1つの物理リソースブロック内のアップリンク制御シグナリングが占有する物理リソースの数に基づいて、前記プリセットのリソースの数が前記Nビットのアップリンク制御シグナリングのベアリングに十分でないことを確定した場合、前記端末は前記目標符号化レート、前記変調次数、前記1つの物理リソースブロック内のアップリンク制御シグナリングが占有する物理リソースの数、及び前記プリセットのリソースの数に基づいて、前記実際に伝送するアップリンク制御シグナリングのビット数を確定する、請求項1に記載のアップリンク制御チャネルリソース確定方法。
【請求項６】
前記実際に伝送するアップリンク制御シグナリングのビット数を確定することは、
前記伝送対象のアップリンク制御シグナリングに対してシグナリング圧縮を行って、前記実際に伝送するアップリンク制御シグナリングを取得することを含む、請求項5に記載のアップリンク制御チャネルリソース確定方法。
【請求項７】
前記端末は前記実際に伝送するアップリンク制御シグナリングのビット数、前記目標符号化レート、前記変調次数、及び前記1つの物理リソースブロック内のアップリンク制御シグナリングが占有する物理リソースの数に基づいて、実際に使用するリソースの数を確定する、請求項5に記載のアップリンク制御チャネルリソース確定方法。
【請求項８】
前記端末は前記目標符号化レート、前記変調次数、及び前記1つの物理リソースブロック内のアップリンク制御シグナリングが占有する物理リソースの数に基づいて、前記プリセットのリソースの数が前記Nビットのアップリンク制御シグナリングのベアリングに十分でないことを確定した場合、前記実際に使用するリソースの数が前記プリセットのリソースの数と等しいことを確定する、請求項1又は5に記載のアップリンク制御チャネルリソース確定方法。
【請求項９】
前記端末はアップリンク制御シグナリングのビット数N、目標符号化レート、変調次数、1つの物理リソースブロック内のアップリンク制御シグナリングが占有する物理リソースの数に基づいて、第1のリソースの数を確定し、前記第1のリソースの数が前記プリセットのリソースの数よりも大きい場合、前記プリセットのリソースの数が、伝送対象のNビットのアップリンク制御シグナリングのベアリングに十分でないことを示す、請求項5〜8のいずれか1項に記載のアップリンク制御チャネルリソース確定方法。
【請求項１０】
前記目標符号化レートはネットワーク側装置により設定される、請求項1〜9のいずれか1項に記載のアップリンク制御チャネルリソース確定方法。
【請求項１１】
前記プリセットのリソースの数は、
アップリンク制御チャネルが占有する周波数領域リソースブロックの数、又は
アップリンク制御チャネルが占有するリソースユニットの数を含む、請求項1〜10のいずれか1項に記載のアップリンク制御チャネルリソース確定方法。
【請求項１２】
前記プリセットのリソースの数は、
上位層シグナリング指示、又は
上位層シグナリングが少なくとも1つの利用可能なリソースを予め設定し、ダウンリンク制御シグナリングが前記少なくとも1つの利用可能なリソースのうちの1つを指示する、の方式の1つにより確定される、請求項1〜11のいずれか1項に記載のアップリンク制御チャネルリソース確定方法。
【請求項１３】
受信対象のアップリンク制御シグナリングのビット数N、目標符号化レート、変調次数、1つの物理リソースブロック内のアップリンク制御シグナリングが占有する物理リソースの数とプリセットのリソースの数に基づいて、実際に使用するリソースの数及び/又は実際に受信するアップリンク制御シグナリングのビット数を確定することに用いられる実際使用リソース定量モジュールを備え、
前記実際に使用するリソースの数はプリセットのリソースの数以下であり、前記実際に受信するアップリンク制御シグナリングのビット数は前記N以下である、ネットワーク側装置。
【請求項１４】
コンピュータプログラムを記憶することに用いられるメモリと、前記メモリに記憶されるコンピュータプログラムを呼び出して実行し、請求項1〜12のいずれか1項に記載の方法を実行することに用いられるプロセッサと、を備える端末。